(57)【特許請求の範囲】
【請求項１】
液透過性の表面シート、液不透過性の防漏シート、及び液保持性の吸収体を備えた実質的に縦長の本体と、背側部における該本体の左右両側に形成された一対のサイドフラップ部とを具備する吸収性物品において、
前記本体には、レッグギャザー形成用のレッグ部弾性部材が配されておらず、
前記サイドフラップ部の外縁部に、フラップ部弾性部材が伸長状態で固定され、該フラップ部弾性部材の収縮により、該サイドフラップ部における該フラップ部弾性部材の内側に凹部が形成されており、
前記サイドフラップ部は、略三角形状をなしている吸収性物品。
【請求項２】
前記サイドフラップ部の前記フラップ部弾性部材が固定された外縁部は、その伸張率が５〜１５０％である請求項１記載の吸収性物品。
【請求項３】
前記本体の長手方向の両側部に、弾性部材を有する一対のシート材が配されて左右一対の立体ガードが形成されている請求項１又は２に記載の吸収性物品。
【請求項４】
前記フラップ部弾性部材は、その一端部が、装着時に形成されるレッグ開口縁部の下半部に位置している請求項１〜３の何れかに記載の吸収性物品。
【発明の詳細な説明】
【０００１】
【発明の属する技術分野】
本発明は、脚廻りを過度に締め付けることがなく、フィット性に優れ、ムレが生じ難く、外観に優れた使い捨ておむつ等の吸収性物品に関する。
【０００２】
【従来の技術及び発明が解決しようとする課題】
従来、液透過性の表面シート、液不透過性の防漏シート及び液保持性の吸収体を備えた本体と、背側部に形成された一対のサイドフラップ部とを具備し、該サイドフラップ部を止着手段を介して腹側部の外面に止着して使用される使い捨ておむつが広く知られている。
斯かる使い捨ておむつにおいては、通常、前記本体の両側部にレッグ部弾性部材が配され、レッグギャザーにより脚廻りからの漏れが防止されるようになっている。
【０００３】
しかし、通常、レッグ部弾性部材は、装着時に形成されるレッグ開口縁部の下半部全体に亘って配されているため、脚廻りの締め付けが強くなり過ぎることがあり、装着者が痛みを訴える場合がある。また、レッグ開口縁部が、着用者の肌に強く面接するため、脚廻りにムレが生じ易く、かぶれ等の原因となる場合がある。更に、レッグ開口縁部の下半部全体に亘って配されたレッグ部弾性部材の収縮により、おむつ自体が下方にずり落ち易く、フィット性が損なわる場合がある。
【０００４】
従って、本発明の目的は、脚廻りを過度に締め付けることがなく、フィット性に優れ、ムレが生じ難く、外観に優れた使い捨ておむつ等の吸収性物品を提供することにある。
【０００５】
【課題を解決するための手段】
本発明は、液透過性の表面シート、液不透過性の防漏シート、及び液保持性の吸収体を備えた実質的に縦長の本体と、背側部における該本体の左右両側に形成された一対のサイドフラップ部とを具備する吸収性物品において、前記本体には、レッグギャザー形成用のレッグ部弾性部材が配されておらず、前記サイドフラップ部の外縁部に、フラップ部弾性部材が伸長状態で固定され、該フラップ部弾性部材の収縮により、該サイドフラップ部における該フラップ部弾性部材の内側に凹部が形成されており、前記サイドフラップ部は、略三角形状をなしている吸収性物品を提供することにより、上記の目的を達成したものである。
【０００６】
【発明の実施の形態】
以下、本発明をその好ましい一実施形態に基づいて説明する。
本実施形態の吸収性物品としての使い捨ておむつ１は、液透過性の表面シート２、液不透過性の防漏シート３、及び液保持性の吸収体４を備えた実質的に縦長の形態を有する本体１０を備えている。
表面シート２及び防漏シート３は、それぞれ吸収体４よりも大きい外形寸法を有し、これら両シート２，３間に吸収体４が挟持固定されている。
防漏シート３は、その両側縁部が吸収体４の両側縁４ａ（一方のみ図示）よりも左右外方に位置するように延出しており、その延出部分は、本体１０の両側部に、使い捨ておむつ１の長手方向に沿う一対のレッグ部１１，１１を形成している。
また、防漏シート３の外面には、不織布製の外層シート５が配されており、該外層シート５は、その両側縁部が吸収体４の両側縁４ａ（一方のみ図示）よりも左右外方に位置するように延出しており、その延出部分は、防漏シート３と共にレッグ部１１，１１を形成している。
【０００７】
本体１０は、使い捨ておむつ１を平面状に拡げた状態（以下、展開状態という）において、略矩形状の縦長形状をなしており、本体１０の長手方向の両側部には、左右一対の立体ガード６，６が設けられている。各立体ガード６は、弾性部材６１を有するシート材６２を配して形成されており、各立体ガード６の自由端６３は、その基端６４よりも、使い捨ておむつ１の中央側に位置し、該基端６４は、シート材６２を、吸収体４の上方において表面シート２に接着固定して形成されている。各シート材６２は、自由端６３とは反対側の縁部が吸収体４の側縁４ａよりも外方に位置するように延出しており、その延出部分は、防漏シート３に貼り合わされ、防漏シート３及び外層シート５と共にレッグ部１１，１１を形成している。
【０００８】
また、使い捨ておむつ１の長手方向の両端部には、それぞれ弾性部材８１を有するシート材８２，８２が配され、それぞれ背側立体ガード８Ａ及び腹側立体ガード８Ｂが形成されている。尚、本体１０には、レッグギャザー形成用のレッグ部弾性部材が配されていない。ここで、レッグ部弾性部材とは、一端部が着用者の背側に配される背側部Ａに位置し、他端部が腹側に配される腹側部Ｂに位置するように配される弾性部材をいい、通常、レッグ開口縁部１３の下半部Ｕ全体に亘ってレッグギャザーを形成するものである。
【０００９】
そして、本使い捨ておむつ１は、背側部Ａの左右両側部に、前記サイドフラップ部としての一対の背側サイドフラップ部７，７を有している。背側サイドフラップ部７は、おむつの展開状態において、おむつの幅が最小となる部分における両側縁部よりも左右外方に位置する背側部の一部分であり、略三角形状の縦長形状をなしている。
【００１０】
各背側サイドフラップ部７は、伸縮性を有するフラップ部形成用のシート材７３を、本体１０の側部１０ａに、該側部１０ａから外方に突出するように固定して形成されている。そして、シート材７３のみからなる伸縮部７Ａに、副止着手段７２が設けられ、非伸縮性の他のシート材７４，７４を該シート材７３に貼り合わせて形成された非伸縮部７Ｂに、主止着手段７１が設けられている。尚、主副の両止着手段７１，７２は、片面に係合用突起が多数植設されてなる機械的ファスナーの雄部材からなり、背側サイドフラップ部７に溶着、接着等の適宜の接合方法により接合されて設けられ、それぞれ、腹側部Ｂ外面の被止着部９に着脱自在に係合するようになされている。機械的ファスナーの雄部材としては、例えばクラレ社製の「マジックテープ（登録商標）」等を用いることができる。
【００１１】
而して、背側サイドフラップ部７における使い捨ておむつ１の左右外側部の外縁部７ａには、フラップ部弾性部材７５が伸長状態で固定されており、該フラップ部弾性部材７５の収縮により、該背側サイドフラップ部７における該フラップ部弾性部材７５の内側に凹部Ｇが形成されている。
【００１２】
フラップ部弾性部材７５は、その一端部７５ａが、装着時に形成されるレッグ開口縁部１３の下半分の部分である下半部Ｕに位置し、他端部７５ｂが、非伸縮部７Ｂの近傍に位置するように配されている。
【００１３】
背側サイドフラップ部７における、フラップ部弾性部材７５が固定された外縁部７ａは、背側サイドフラップ部７に凹部Ｇを良好に形成させる観点及び脚廻りに良好なフィット性を得る観点から、その伸張率が５〜１５０％であることが好ましく、１０〜１００％であることがより好ましく、２０〜８０％であることが更に好ましい。
【００１４】
ここで、伸張率は、次のようにして測定される。
フラップ部弾性部材７５の収縮部（収縮している部分）の全体が含まれるように外縁部７ａを切りとり、フラップ部弾性部材７５の該収縮部上にあり且つ収縮方向に平行な線上にある２点を任意に定め、その２点間の最短距離をＡとする。
その収縮状態から、フラップ部弾性部材７５を伸ばしていき、シート材７３が元の長さに戻ったときの前記２点間の距離をＢとする。伸張率は、次式を用いて求める。
伸張率（％）＝｛（Ｂ−Ａ）／Ａ｝×１００
尚、シート材７３の元の長さに戻ったときとは、フラップ部弾性部材７５によるシート材７３のシャーリング、たわみ、ゆがみ等が消失した状態をいう。
【００１５】
各背側サイドフラップ部７の凹部Ｇは、使い捨ておむつ１の肌当接面側に凹状をなし非肌当接面側に凸状をなすように形成されており、各凹部Ｇは、各背側サイドフラップ部７における外縁部７ａと、おむつ１の長手方向の中心線Ｐ側の内縁部７ｂとの間の中間部に、該背側サイドフラップ部７の長手方向に亘るように形成されている。
また、自然状態における各凹部Ｇは、背側部Ｂのウエスト開口縁部１２に向かうに従って深さｄ（図３参照）が増大し、その長手方向に直交する方向の断面形状は、図２に示すように略円弧状をなしている。
【００１６】
また、各フラップ部弾性部材７５の長さは、足廻りのフィット性の向上、凹部Ｇの良好な形成等の観点から、レッグ開口縁部１３の下半部Ｕに基点をもち背側方向に３ｃｍ以上あることが好ましく、下半部Ｕの中点から非伸縮部７Ｂの下端部の間に全長で配されていることが特に好ましい。
尚、各背側サイドフラップ部７の内縁部７ｂは、おむつ１の展開状態において、おむつの長手方向の中央線Ｐに略平行であり、該内縁部７ｂの近傍には、該内縁部７ｂに沿って前記立体ガード６が配されている。斯かる立体ガード６の存在によって、各背側サイドフラップ部７に形成される凹部Ｇが、より深く、また、より形態安定性に優れたものとなっている。
【００１７】
次に、本実施形態の使い捨ておむつ１を構成する各部材の形成材料について説明する。
表面シート２、防漏シート３、吸収体４、外層シート５並びに立体ガード６，８Ａ，８Ｂ形成用のシート材６２，８２及び弾性部材６１，８１の形成材料としては、通常、使い捨ておむつ等の吸収性物品に用いられるものを特に制限なく用いることができる。
【００１８】
また、背側サイドフラップ部７（シート材７３）の形成材料としては、織布、編布、合成樹脂製のフィルムや不織布等、従来公知の各種の材料を用いることができ、特に、伸縮性を有する不織布、エラストマーフィルム、エラストマーフォーム及びそれらに伸縮性を有する繊維素材をラミネートしたもの等の伸縮性材料が好ましい。
【００１９】
また、フラップ部弾性部材７５の形成材料としては、通常公知の各種の弾性材料を用いることができ、その素材としては、天然ゴムの他、スチレン−ブタジエン、ブタジエン、イソプレン、ネオプレン等の合成ゴム、ＥＶＡ、伸縮性ポリオレフィン、ウレタン等の伸縮性の素材を広く用いることができ、その形態としては、糸ゴムの様な線状の他、幅広の帯状（平ゴム含む）、薄膜状、更にはフォーム材等を用いることができる。これらの材料は、一種を単独で用いても良いし、複数種類を組み合わせても良い。また、サイドフラップ部７の外縁部７ａに固定されるフラップ部弾性部材７５は、１つであっても良いし、複数であっても良い。
【００２０】
本実施形態の使い捨ておむつ１は、非伸縮部７Ｂを摘み部として、着用者に装着固定される。即ち、本使い捨ておむつ１は、非伸縮部７Ｂを手に摘んで腹側部Ｂ方向に引っ張り、該非伸縮部７Ｂを、両止着手段７１，７２を介して腹側部Ｂ外面の被止着部９に固定することにより、装着者に容易に装着固定することができる。
【００２１】
そして、本使い捨ておむつ１においては、従来の使い捨ておむつが有するレッグ部弾性部材を有していないため、脚廻りが過度に締め付られる可能性が格段に低下する。
また、各背側サイドフラップ部７におけるフラップ部弾性部材７５の内側に凹部Ｇが形成されており、該凹部Ｇによって、装着時における着用者の肌とサイドフラップ部７の内面（肌当接面）との間に所定の間隙が形成されるため、脚廻りに、ムレやカブレ等が生じ難い。また、図５に示すように、着用時における着用者の両側部に袋状の膨出部Ｓが形成されるため、外観が意匠的にも優れたものとなる。
【００２２】
また、背側サイドフラップ部７にフラップ部弾性部材７５が配されているため、脚廻りに良好なフィット性が得られる。また、従来のレッグギャザーは股下部で収縮するため、おむつが下方にずれ落ちやすかったが、本発明のおむつではレッグギャザーがなく、そのかわりにフラップ部弾性部材７５が大腿部から股下部にわたって外側を覆っているため、おむつが下方にずり落ち難く、股下部Ｃにおいても良好なフィット性を得ることができる。
【００２３】
以上、本発明の一実施形態について説明したが、本発明は上記の実施形態に制限されず本発明の趣旨を逸脱しない範囲内において種々の変更が可能である。
例えば、上記の実施形態における背側サイドフラップ部７，７は、本体１０にシート材７３を固定して形成されているが、本発明におけるサイドフラップ部は、本体１０を構成する部材の一部、例えば立体ガード形成用のシート材６２及び／又は外層シート５を、本体１０の両側方に更に延出させて形成されたものであっても良い。
【００２４】
また、サイドフラップ部に形成される凹部Ｇは、１つであっても良いし、複数のフラップ部弾性部材７５を配する等により複数存在しても良い。また、フラップ部を固定する外縁部７ａは最外縁７３ａ近傍に限定されず、フラップ部弾性部材７５が背側サイドフラップ部７に凹部を形成させることが可能な限り内方側でも良い。また、フラップ部弾性部材の一端部７５ａは、装着時に形成されるレッグ開口縁部の上半部に位置していても良い。
また、フラップ部弾性部材の固定方法に特に制限はなく、例えばシート材７３を折り返して包み込んでも良いし、複数のシート材間に挟み込んでも良い。
【００２５】
また、止着手段は、各サイドフラップ部７に一つでも良く、止着手段としては、シート表面に粘着剤を塗布して形成した粘着部でも良く、また、ホック等従来公知の各種のものを特に制限なく用い得る。また、本発明は、赤ん坊や成人用の使い捨ておむつの他、失禁パットや生理用ナプキン等に適用することもできる。
【００２６】
【発明の効果】
本発明の吸収性物品は、脚廻りを過度に締め付けることがなく、フィット性に優れ、ムレが生じ難く、外観に優れたものである。
【図面の簡単な説明】
【図１】図１は、本発明の一実施形態としての使い捨ておむつを、自由状態において表面シート側から視た斜視図である。
【図２】図２は、図１のＸ−Ｘ断面図である。
【図３】図３は、図１の使い捨ておむつを平面状に拡げた状態における一方の背側サイドフラップ部を示した平面図である。
【図４】図４は、図３のＹ−Ｙ断面図である。
【図５】図５は、図１の使い捨ておむつの装着状態を示す斜視図である。
【符号の説明】
１    吸収性物品（使い捨ておむつ）
１０    本体
２    表面シート
３    防漏シート
４    吸収体
５    外層シート
７    背側サイドフラップ部
７ａ  外縁部
７５  フラップ部弾性部材
Ｇ    凹部
Ａ    背側部
Ｂ    腹側部
Ｃ    股下部
Ｕ    レッグ開口縁部の下半部
【図１】
0004020545.tif 000002
【図２】
0004020545.tif 000003
【図３】
0004020545.tif 000004
【図４】
0004020545.tif 000005
【図５】
0004020545.tif 000006